(57)【要約】      （修正有）【課題】贈呈品の贈り主の印象を受け取り主に持たせて、ギフト商品としての価値を高める冊子収納パッケージを提供する。【解決手段】冊子収納パッケージ１０は、蓋付きのボックス４０に２冊のギフト冊子ＧＳを収納するに当たり、各冊子を台紙６０に載置した上で、脚７０にて底上げして支えている。脚７０は、ボックス４０の内部を区画している。この冊子収納パッケージ１０の受け取り主は、ギフト冊子ＧＳを台紙６０と共に取り外した後、この冊子収納パッケージ１０を宝石箱、コレクション収納箱として再利用でき、蓋体２０とボックス４０が共に起毛内壁面とＰＶＣレザー仕様の外表皮を有することから、再利用する宝石箱等としての見栄えも高まる。【選択図】図２
0003142472.tif 000002
【実用新案登録請求の範囲】
【請求項１】
贈呈品となる商品を掲載したギフト冊子を収納した冊子収納パッケージであって、
蓋体を備えた中空のボックス部と、
前記ボックス部の底部に配設され、前記ギフト冊子を前記ボックス部の内部で底上げして支える脚とを備える
冊子収納パッケージ。
【請求項２】
前記脚は、前記ボックス部の内部を区画する仕切り壁として機能する請求項１に記載の冊子収納パッケージ。
【請求項３】
前記脚により区画されたボックス内区画領域には、贈呈商品が収納されている請求項１または請求項２記載の冊子収納パッケージ。
【請求項４】
請求項１ないし請求項３いずれか記載の冊子収納パッケージであって、
更に、
前記蓋体の開放を契機としてメロディーを発するメロディー機構を前記バックス部の内部に備える
冊子収納パッケージ。
【請求項５】
請求項１ないし請求項４いずれか記載の冊子収納パッケージであって、
前記ボックス部は、
ボックス内壁を起毛壁面とし、ボックス外表皮を合成皮革仕様としている
冊子収納パッケージ。
【考案の詳細な説明】
【技術分野】
【０００１】
本考案は、ギフト冊子を収納した冊子収納パッケージに関する。
【背景技術】
【０００２】
結婚式や法要等の際には、その参列者に贈呈品を手渡すことが慣習化されている。その反面、参列者の利便性を考慮したり、贈呈品の受け取り主による商品選定の自由度を高めるため、近年では、贈呈品となる商品を掲載したギフト冊子を手渡したり、郵送することも常態化しつつある（例えば、特許文献１）。
【０００３】
【特許文献１】特開平６−２４７０８２号公報
【考案の開示】
【考案が解決しようとする課題】
【０００４】
しかしながら、ギフト冊子だけをただ単に手渡し或いは郵送したのでは、あまりにも形骸化し過ぎて贈呈品の贈り主の印象を受け取り主に残さないので、何らかの対処が求められるに到った。
【０００５】
本考案は、上記従来の課題を解決するものであり、贈呈品の贈り主の印象を受け取り主に持たせて、ギフト商品としての価値を高めることを目的とする。
【課題を解決するための手段】
【０００６】
上記した目的の少なくとも一部を達成するために、本考案では、以下の構成を採用した。
【０００７】
贈呈品となる商品を掲載したギフト冊子を収納した冊子収納パッケージであって、蓋体を備えた中空のボックス部と、前記ボックス部の底部に配設され、前記ギフト冊子を前記ボックス部の内部で底上げして支える脚とを備える。
【０００８】
こうすれば、冊子収納パッケージを受け取った受け取り主は、ギフト冊子を見ながら自身が所望する贈呈品を選定できると共に、ボックス部を含むパッケージ自体を何らかの収納容器、例えば宝石箱や、時計等のコレクションの収納箱として再利用できる。このため、贈呈品の受け取り主が贈呈品贈り主に抱く印象は、再利用可能な容器たるボックス部をギフト冊子と共に贈呈されたことで、単に手渡し或いは郵送した場合に比して高まる。
【０００９】
こうした冊子収納パッケージにおいて、前記脚を前記ボックス部の内部を区画する仕切り壁として機能させれば、ボックス部を容器として再利用する際の利便性が高まる。
【００１０】
また、前記脚により区画されたボックス内区画領域に予め贈呈商品を収納するようにしておけば、冊子収納パッケージの受け取りの際に、その受け取り主に贈り主の贈呈意図を認知させることができる。
【００１１】
更に、前記蓋体の開放を契機としてメロディーを発するメロディー機構を前記バックス部の内部に備えるようにしても、冊子収納パッケージの受け取りの際の贈呈意図を受け取り主に認知させることができる。
【００１２】
また、ボックス内壁を起毛壁面とし、ボックス外表皮を合成皮革仕様とすれば、ボックス部を宝石箱やコレクション収納箱として再利用する際の見栄えも高まる。よって、贈呈品の受け取り主が贈呈品贈り主に抱く印象はより高まる。
【考案を実施するための最良の形態】
【００１３】
次に、本考案の構成・作用を一層明らかにするために、以下本考案の好適な実施例について説明する。図１は実施例の冊子収納パッケージ１０を蓋クローズの状態とオープンの状態で並記して示す説明図、図２は冊子収納パッケージ１０への冊子組み込みの様子を示す説明図、図３は冊子収納パッケージ１０の再利用の仕方の一例を示す説明図である。
【００１４】
実施例の冊子収納パッケージ１０は、２冊のギフト冊子ＧＳを、蓋体２０を備えたボックス４０に収納する。蓋体２０は、長辺一端側にボックス４０の外側面に達する蓋固定片３０を備え、ボックス４０は、外側面に蓋固定片３０がその裏面に有する図示しない金属製凸フックを磁力吸引するマグネット固定具３２を備える。そして、蓋体２０は、ストラップ５０にてボックス４０と連結され、不用意に倒れ過ぎないようにされている。
【００１５】
蓋体２０とボックス４０は、共にその内壁を起毛壁面として備え、外表皮を合成皮革仕様、例えば、肌触りもよく見栄えも高いためソファ等の家具表皮として使用されているＰＶＣ（polyvinyl chloride）レザー仕様としている。蓋固定片３０については、表裏面ともＰＶＣレザー仕様とされている。そして、蓋体２０とボックス４０は、その側壁周縁や頂上面周縁に、ＰＶＣレザーと同色の糸にて縫い目２０Ｓ、４０Ｓが施されている。蓋固定片３０も同様、その周縁に縫い目３０Ｓが施されている。蓋体２０とその蓋固定片３０およびボックス４０とも、赤色、濃紺、焦げ茶色或いは黒色等の同色のＰＶＣレザー仕様であることから、蓋体２０が閉じられた状態のボックス４０、即ち冊子収納パッケージ１０は、同色の縫い目と相まって、見栄えの高い宝石箱としての外観をなす。
【００１６】
よって、図１に蓋クローズの状態で示す冊子収納パッケージ１０を受け取った贈呈品の受け取り主は、蓋体２０を開く前にあって宝石箱様の冊子収納パッケージ１０を視認することから、当該パッケージを贈呈した贈り主に対して強い印象を抱く。そして、蓋体２０を開けると、パッケージ内のギフト冊子ＧＳを目にし、当該冊子に掲載された商品を注文できることから、商品注文に至る過程においても、冊子収納パッケージ１０の受け取り主は、冊子収納パッケージ１０の贈り主に対して強い印象を抱く。
【００１７】
冊子収納パッケージ１０に２冊のギフト冊子ＧＳを収納するに当たり、各冊子は図２に示すように台紙６０に載置される。台紙６０は、ボックス４０の開口部を隙なく覆う大きさで形成され、山折り形成された山部６２にて、右側冊子載置部６４と左側冊子載置部６６を区画する。この左右の載置部は、載置対象となるギフト冊子ＧＳの大きさに合わせて山部６２により区画形成されているので、２冊のギフト冊子ＧＳは、図１の蓋オープンの状態に示すように、体裁良く台紙６０の右側冊子載置部６４と左側冊子載置部６６にそれぞれ載置されて、台紙６０ごとボックス４０に収納されることになる。
【００１８】
冊子収納パッケージ１０は、上記したようにギフト冊子ＧＳを収納するに当たり、図２に示すように、ボックス４０の内部に脚７０を備える。この脚７０は、ボックス４０の内壁と同様に起毛表皮仕様とされた長片脚７２および短片脚７４を十字状にクロスして構成され、ボックス４０の底部に載置されている。よって、台紙６０に載置された２冊のギフト冊子ＧＳは、図１の蓋オープンの状態に示すように、脚７０によりボックス４０の内部で底上げ状に支えられてボックス４０に収納されることになる。
【００１９】
上記した脚７０の長片脚７２と短片脚７４は、ボックス４０の内部縦横寸法とほぼ同一とされているので、脚７０は、ボックス４０の内部を区画する仕切り壁として機能する。この場合、長片脚７２と短片脚７４は、十字状のクロス状態から斜めになることから、長短片脚を斜めにした状態で、脚７０は、ボックス４０から着脱できる。
【００２０】
上記した冊子収納パッケージ１０は、受け取り主によりギフト冊子ＧＳが台紙６０と共に取り外されると、図３に示すように宝石等の宝飾品や、時計等のコレクションを収納する宝石箱、コレクション収納箱として、受け取り主により再利用される。このため、本実施例の冊子収納パッケージ１０によれば、贈り主は、当該パッケージの受け取り主に対して、再利用可能な容器たるパッケージをギフト冊子ＧＳと共に贈呈できるので、受け取り主には、ギフト冊子ＧＳを単に手渡し或いは郵送を受けた場合より、贈り主に対して好印象を与えることができる。よって、冊子収納パッケージ１０は、ギフト商品としても高い価値を発揮できる。冊子収納パッケージ１０を用いたギフト商品の一例としては、葬儀参列者への返礼として後日送付するカタログギフト商品や、結婚式参列者にその参列の際に手渡しするカタログギフト商品である。こうしたカタログ商品に本実施例の冊子収納パッケージ１０を用いれば、受け取った冊子収納パッケージ１０を宝石箱様の容器として手元に置いて利用できる分、贈り主の印象を高めることができる。
【００２１】
そして、本実施例では、蓋体２０やボックス４０の内壁を起毛壁面とし、２０やボックス４０および蓋固定片３０についても、その外表皮をＰＶＣレザー仕様としたので、宝石箱やコレクション収納箱として再利用する際の見栄えも高まる。よって、贈呈品の受け取り主が贈呈品贈り主に抱く印象はより好ましくなるので、ギフト商品としての価値もより高まる。しかも、２０やボックス４０および蓋固定片３０に表皮と同色の縫い目２０Ｓ、４０Ｓ、３０Ｓを設けたこと、脚７０についても起毛壁面としたことから、宝石箱やコレクション収納箱として再利用する際の見栄えもより一層高まり、好ましい。
【００２２】
更に、本実施例の冊子収納パッケージ１０では、脚７０にてボックス４０の内部を区画するので、宝石箱やコレクション収納箱として利用する際の利便性を高めることができる。
【００２３】
本考案は上記した実施例や実施形態に限られるものではなく、その要旨を逸脱しない範囲において、種々の態様で実施可能である。図４はギフト冊子ＧＳと共に商品を収納した態様での冊子収納パッケージ１０の用途を示す説明図である。図示するように、この態様では、脚７０で区画された領域に、クッキー、あられ、ハンカチ等の贈呈商品を予め収納した上で、ギフト冊子ＧＳを収納している。このように予め収納する贈呈商品を、例えば結婚式参列者に贈呈することが多々あるクッキー等とすれば、冊子収納パッケージ１０の受け取り主には、その贈呈者たる新郎新婦の贈呈意図、具体的には式参列者への謝意を、今までの慣習通りに認知させるようにでき、好ましい。
【００２４】
図５はまた別の態様の冊子収納パッケージ１０を示す説明図である。図示するように、この態様では、メロディー装置１００を面ファスナー等で蓋体２０に予め装着している。メロディー装置１００は、光感知素子と、電池と、メロディー記憶素子とを備える光感知式の楽曲演奏装置の完成品である。よって、この態様の冊子収納パッケージ１０によれば、その受け取り主が蓋体２０を開けるとメロディー装置１００に光が当たるので、蓋体２０の開放を契機として記憶済みメロディーを発することができる。このため、この態様の冊子収納パッケージ１０を例えば結婚式参列者に贈呈するカタログギフト商品とした場合、結婚式で多々演奏される楽曲を蓋体２０を開いたときにメロディー装置１００にて演奏できるので、贈呈者たる新郎新婦の結婚式参列者への謝意を受け取り主（結婚式参列者）に認知させることができ、好ましい。
【００２５】
また、上記した実施例では、ギフト冊子ＧＳを脚７０にて支えるに当たり、蓋体２０を開いたときにギフト冊子ＧＳがボックス４０の側にあるようにしたが、蓋体２０が占められた状態ではギフト冊子ＧＳを脚７０にて支えるものの、蓋体２０を開いたときには、ギフト冊子ＧＳがその開かれた蓋体２０の側に位置するようにすることもできる。こうすれば、受け取り主は、蓋体２０を開くことで、その開いた蓋体側のギフト冊子ＧＳと、ボックス４０の側の予め収納済み贈呈品（図４参照）とを一度に目にすることができる。
【図面の簡単な説明】
【００２６】
【図１】実施例の冊子収納パッケージ１０を蓋クローズの状態とオープンの状態で並記して示す説明図である。
【図２】冊子収納パッケージ１０への冊子組み込みの様子を示す説明図である。
【図３】冊子収納パッケージ１０の再利用の仕方の一例を示す説明図である。
【図４】ギフト冊子ＧＳと共に商品を収納した態様での冊子収納パッケージ１０の用途を示す説明図である。
【図５】また別の態様の冊子収納パッケージ１０を示す説明図である。
【符号の説明】
【００２７】
１０…冊子収納パッケージ
２０…蓋体
２０Ｓ、３０Ｓ、４０Ｓ…縫い目
３０…蓋固定片
３２…マグネット固定具
４０…ボックス
５０…ストラップ
６０…台紙
６２…山部
６４…右側冊子載置部
６６…左側冊子載置部
７０…脚
７２…長片脚
７４…短片脚
１００…メロディー装置
ＧＳ…ギフト冊子
【図１】
0003142472.tif 000003
【図２】
0003142472.tif 000004
【図３】
0003142472.tif 000005
【図４】
0003142472.tif 000006
【図５】
0003142472.tif 000007